(57)【要約】【課題】  ２つの電気光学パネルを繋ぐＦＰＣ等といった配線基板に関して、しっかりと固定でき、再利用を容易にし、耐衝撃性を向上できる電気光学装置を提供する。【解決手段】  第１液晶パネル３を支持する第１面２ａとその反対側であって第２液晶パネル４を支持する第２面２ｂとを有するフレーム２と、一端が第１液晶パネル３に接続され、他端が第２液晶パネル４に接続され、さらに、第１液晶パネル３と第２液晶パネル４との間で曲げられるＦＰＣ１９と、第２面２ｂ側からフレーム２を覆うと共にＦＰＣ１９を抑える外枠５７とを有する液晶表示装置１である。ＦＰＣ１９は外枠５７によって抑えられるので、粘着部材を使わずにＦＰＣ５７を固定できる。【選択図】      図１
2006184383.tif 000002
【特許請求の範囲】
【請求項１】
第１電気光学パネルを支持する第１面とその反対側であって第２電気光学パネルを支持する第２面とを有するフレームと、
一端が前記第１電気光学パネルに接続され、他端が前記第２電気光学パネルに接続され、さらに、前記第１電気光学パネルと前記第２電気光学パネルとの間で曲げられる配線基板と、
前記第２面側から前記フレームを覆うと共に前記配線基板が前記フレームから所定間隔以上離れることを抑える外枠と
を有することを特徴とする電気光学装置。
【請求項２】
請求項１記載の電気光学装置において、前記外枠は前記フレームの第２面内の一定幅の直線状領域に関して前記配線基板を抑えることを特徴とする電気光学装置。
【請求項３】
請求項１または請求項２記載の電気光学装置において、前記配線基板は前記外枠によって前記フレームに押し付けられることを特徴とする電気光学装置。
【請求項４】
請求項１から請求項３のいずれか１つに記載の電気光学装置において、前記フレームは前記第２電気光学パネルの位置を規制するための突出部を有し、前記外枠は該突出部の周囲に設けられることを特徴とする電気光学装置。
【請求項５】
請求項１から請求項４のいずれか１つに記載の電気光学装置において、前記配線基板が接触または近接する前記フレームの角部は湾曲形状を有することを特徴とする電気光学装置。
【請求項６】
請求項１から請求項５のいずれか１つに記載の電気光学装置において、前記第１電気光学パネルのうち前記配線基板が接続された辺端と反対側の辺端に接続されると共に前記フレームの第２面へ向けて曲げられる第２の配線基板をさらに有し、該第２配線基板は前記外枠によって抑えられることを特徴とする電気光学装置。
【請求項７】
請求項６記載の電気光学装置において、前記第２配線基板は前記外枠によって前記フレームに押し付けられることを特徴とする電気光学装置。
【請求項８】
請求項６または請求項７記載の電気光学装置において、前記配線基板が接触または近接する前記フレームの角部、および前記第２配線基板が接触または近接する前記フレームの角部は湾曲形状を有することを特徴とする電気光学装置。
【請求項９】
請求項１から請求項８のいずれか１つに記載の電気光学装置において、前記外枠は前記フレームの側面に嵌合することを特徴とする電気光学装置。
【請求項１０】
請求項１から請求項９のいずれか１つに記載の電気光学装置において、前記外枠は金属により形成されることを特徴とする電気光学装置。
【請求項１１】
請求項１から請求項１０のいずれか１つに記載の電気光学装置を有することを特徴とする電子機器。
【発明の詳細な説明】
【技術分野】
【０００１】
本発明は、液晶表示装置等といった電気光学装置に関する。また、本発明は、電気光学装置を用いた電子機器に関する。
【背景技術】
【０００２】
現在、携帯電話機、携帯情報端末機等といった各種の電子機器において、液晶表示装置、ＥＬ装置等といった電気光学装置が広く用いられている。例えば、電子機器に関する各種の情報を視覚的に表示するための表示部として電気光学装置が用いられている。この電気光学装置において、電気光学物質として液晶を用いた装置、すなわち液晶表示装置が知られている。また、電気光学物質としてＥＬ（Electro Luminescence）を用いたＥＬ装置も知られている。
【０００３】
液晶等といった電気光学物質は一対の基板間に封入されたり、１枚の基板上に配置され、これにより、パネル構造体である電気光学パネルが形成される。この電気光学パネルには、一般に、電気光学物質に所定の電圧を印加したり、電気光学物質へ所定の電流を供給するために、配線基板、例えばＦＰＣ（Flexible Printed Circuit）が接続されることが多い。
【０００４】
上記の電気光学装置においては、２つの電気光学パネルを、フレームの表裏両面に重ねて設け、一方の電気光学パネルにおいて主表示を行い、他方の電気光学パネルにおいて副表示を行うものがある。これら２つの電気光学パネルの間は、上記のＦＰＣを用いて接続される場合がある。このような場合、ＦＰＣはフレームの端辺を跨いでそのフレームの表側と裏側とにわたって曲げられた状態で両電気光学パネルに接続されることになる。このようにＦＰＣを曲げた状態でフレームの周囲に配置する場合には、従来、両面テープ等を用いてフレームにＦＰＣを固定していた（例えば、特許文献１参照）。
【０００５】
【特許文献１】特開２００４−１５２９８４号公報（第９頁、図３）
【発明の開示】
【発明が解決しようとする課題】
【０００６】
しかしながら、特許文献１に開示された従来の電気光学表示装置では、ＦＰＣの弾性により反発力が強いために両面テープを用いた固定では不十分であった。また、ＦＰＣを再利用する際、ＦＰＣまたはフレームを両面テープから取り外すことが難しかった。従って、電気光学装置を分解してＦＰＣを再利用するといった、いわゆるリワークを行うことが難しかった。また、ＦＰＣは、両面テープでフレームに固定された状態で外部に露出していたので、衝撃が加わったときにＦＰＣが損傷するおそれがあった。すなわち、ＦＰＣの耐衝撃性が低かった。
【０００７】
本発明は、上記の問題点に鑑みて成されたものであって、２つの電気光学パネルを繋ぐＦＰＣ等といった配線基板に関して、しっかりと固定でき、再利用を容易にし、耐衝撃性を向上できる電気光学装置および電子機器を提供することを目的とする。
【課題を解決するための手段】
【０００８】
本発明に係る電気光学装置は、第１電気光学パネルを支持する第１面とその反対側であって第２電気光学パネルを支持する第２面とを有するフレームと、一端が前記第１電気光学パネルに接続され、他端が前記第２電気光学パネルに接続され、さらに、前記第１電気光学パネルと前記第２電気光学パネルとの間で曲げられる配線基板と、前記第２面側から前記フレームを覆うと共に前記配線基板が前記フレームから所定間隔以上離れることを抑える外枠とを有することを特徴とする。
【０００９】
上記構成において、「電気光学パネル」は、電気的な条件を制御することにより光学的な出力状態を変化させるパネル構造体である。また、この電気光学パネルは、液晶等といった電気光学物質を含むパネル構造体であって、その電気光学物質の電気光学的な作用を利用して表示を実現するものである。例えば、電気光学物質として液晶を用いれば電気光学パネルとして液晶パネルが構成される。
【００１０】
また、配線基板は可撓性を備えた基板、例えば、ＦＰＣ等によって構成できる。このＦＰＣは、例えば、ポリイミドやポリエステル等から成るフィルムを基材として、その上に所望の回路を作ることによって形成される。このＦＰＣ等といった配線基板は可撓性を備えている。また、「配線基板を抑える」とは、配線基板の位置を規制するように機能するという意味であり、例えば、配線基板をフレームに押し付けても良いし、配線基板が容易には動かない構造が採用されているのであれば、外枠を配線基板から少し離して配置させることもできる。
【００１１】
上記構成の電気光学装置によれば、外枠を用いてフレームの第２面側にある配線基板を抑えるようにしたので、配線基板の弾性によってその配線基板がフレームから離れる方向へ大きく動くことを規制できる。従って、フレームに支持された第２電気光学パネルが配線基板が動くことによって浮いてしまうこと、を防止できる。
【００１２】
また、外枠を用いて配線基板の動きを規制するようにしたので、配線基板は両面テープ等といった粘着部材を使わずに固定できる。従って、配線基板は粘着部材を剥がすことなくフレームから容易に外すことができるので、電気光学装置を容易に分解できる。これにより、本構成の電気光学装置に関しては、例えば、組み立ての際に不良等が生じた場合において、その電気光学装置の分解作業および再度の組み立て作業を容易に行うことができる。
【００１３】
また、上記構成の電気光学装置は、フレームの第２面側に外枠を設け、該フレームで配線基板を覆う構造とした。これにより、配線基板は外部に露出しなくなるので、外枠を設けない構造の電気光学装置に比べて、配線基板の耐衝撃性を高くできる。
【００１４】
次に、本発明に係る電気光学装置において、前記外枠は前記フレームの第２面内の一定幅の直線状領域に関して前記配線基板を抑えることが望ましい。こうすれば、配線基板を確実に固定することができるので、第２電気光学パネルがフレームから浮いてしまうことを確実に防止できる。
【００１５】
次に、本発明に係る電気光学装置において、前記配線基板は前記外枠によって前記フレームに押し付けられることが望ましい。こうすれば、配線基板をより確実に固定することができるので、第２電気光学パネルがフレームから浮いてしまうことをより確実に防止できる。
【００１６】
次に、本発明に係る電気光学装置において、前記フレームは前記第２電気光学パネルを係止するための突出部を有し、前記外枠は該突出部の周囲に設けられることが望ましい。こうすれば、外枠は突出部以外のフレームの厚さに合わせて形成できる。従って、この外枠を用いて形成する電気光学装置は、突出部以外の部分において厚さを薄く形成できる。
【００１７】
次に、本発明に係る電気光学装置において、前記配線基板が接触または近接する前記フレームの角部は湾曲形状を有することが望ましい。配線基板を曲げた際、その曲げ部または第１電気光学パネルとの接続部において配線基板が急激に屈曲することがある。こうなると、配線が断線する等といった配線基板の損傷が発生するおそれがある。また、第１電気光学パネルと配線基板の接続部が剥がれてしまうおそれがある。
【００１８】
上記のようにフレームの角部を湾曲形状にすれば、そのフレームの湾曲形状に沿って、配線基板を滑らかに曲げることができるので、第１電気光学パネルと配線基板との接続部において配線基板が急激に屈曲することがなくなる。その結果、配線基板が損傷したり、配線基板が第１電気光学パネルから剥がれることを防止できる。
【００１９】
次に、本発明に係る電気光学装置において、前記第１電気光学パネルのうち前記配線基板が接続された辺端と反対側の辺端に接続されると共に前記フレームの第２面へ向けて曲げられる第２の配線基板をさらに有し、該第２配線基板は前記外枠によって抑えられることが望ましい。こうすれば、第２配線基板の弾性による反発力に起因して配線基板が動くことを規制できるので、第２配線基板は両面テープ等といった粘着部材を使わずに固定できる。従って、第２配線基板は粘着部材を剥がすことなくフレームから容易に外すことができるので、電気光学装置を容易に分解できる。これにより、本構成の電気光学装置は、例えば、組み立てに不良等が生じた場合において、電気光学装置の分解作業および再度の組み立て作業を容易に行うことができる。
【００２０】
次に、本発明に係る電気光学装置において、前記第２配線基板は前記外枠によって前記フレームに押し付けられることが望ましい。こうすれば、第２配線基板をより確実に固定することができる。
【００２１】
次に、本発明に係る電気光学装置において、前記第２配線基板が接触または近接する前記フレームの角部は湾曲形状を有することが望ましい。こうすれば、フレームの湾曲形状に沿って、第２配線基板を滑らかに曲げることができる。これにより、第１電気光学パネルと第２配線基板との接合部において配線基板が急激に屈曲することがなくなるので、第２配線基板が損傷したり、配線基板が第１電気光学パネルから剥がれることを防止できる。
【００２２】
次に、本発明に係る電気光学装置において、前記外枠は前記フレームの側面に嵌合することが望ましい。こうすれば、外枠をフレームに確実に固定できるので、配線基板および第２配線基板を確実に固定できる。また、電気光学装置に衝撃が加わった際、フレームから外枠が外れることを防止できる。
【００２３】
次に、本発明に係る電気光学装置において、前記外枠は金属により形成されることが望ましい。こうすれば、例えば、外枠を樹脂等といった他の材料で形成する場合に比べて、配線基板の耐衝撃性をさらに高くできる。
【００２４】
次に、本発明に係る電子機器は、以上に記載された構成の電気光学装置を有することを特徴とする。本発明に係る電気光学装置では、外枠を用いることにより、粘着部材を使わずに配線基板をフレームに装着できるので、電気光学装置の分解作業および再度の組み立て作業を容易に行うことができる。この結果、この電気光学装置を用いた本発明に係る電子機器においても分解作業および再度の組み立て作業が容易になり、電子機器の再生利用等が行い易くなる。
【００２５】
また、本発明に係る電気光学装置においては、配線基板が外枠によって囲われるので、外枠を設けない構造の電気光学装置に比べて配線基板の耐衝撃性をさらに高くできる。この結果、この電気光学装置を電子機器に用いれば、衝撃に対して強い電子機器を形成できる。
【発明を実施するための最良の形態】
【００２６】
（電気光学装置の実施形態）
以下、本発明に係る電気光学装置をその一実施形態を挙げて説明する。なお、本発明がこの実施形態に限定されるものでないことは、もちろんである。また、これからの説明で用いる図面では、特徴となる部分を分かり易く示すために、実際の寸法比率と異なる寸法比率で構成要素を図示することがあることに注意を要する。
【００２７】
図２は、本発明に係る電気光学装置の一例である液晶表示装置１を分解状態で示している。また、図３は、図２の液晶表示装置１を組み立てた状態の断面構造を示している。図２において、液晶表示装置１は、フレーム２と、そのフレーム２によって支持される第１電気光学パネルとしての第１液晶パネル３と、同じくフレーム２によって支持される第２電気光学パネルとしての第２液晶パネル４と、第１外枠５６と、第２外枠５７とを有する。本実施形態において、第１液晶パネル３は主たる表示を行う表示要素であり、第２液晶パネル４は補助となる表示を行う表示要素である。
【００２８】
また、第１液晶パネル３とフレーム２との間には、照明装置５が設けられる。本実施形態では、１つの照明装置５を用いて第１液晶パネル３および第２液晶パネル４の２つの液晶パネルを照明する。つまり、本実施形態で用いる照明装置５は両面発光方式の照明装置として構成されている。
【００２９】
照明装置５は、導光体６と、光源としてのＬＥＤ（Light Emitting Diode）７と、複数の光学シートから成る第１光学シート束１１と、同じく複数の光学シートから成る第２光学シート束１２とを有する。導光体６は、例えば透光性の樹脂によって形成される。この導光体６は、矢印Ａが描かれた側の面、すなわち第１液晶パネル３に対向する面が第１光出射面６ｂであり、矢印Ｂが描かれた側の面、すなわち第２液晶パネル４に対向する面が第２光出射面６ｃである。
【００３０】
ＬＥＤ７は、複数個、本実施形態では３個設けられている。これら３個のＬＥＤ７は、例えば、可撓性の基板であるＬＥＤ基板８上に実装されている。このＬＥＤ基板８は端子８ａを有し、この端子８ａを通して各ＬＥＤ７へ電力が供給される。各ＬＥＤ７の発光面は導光体６の１つの側面である光入射面６ａに対向して設けられる。各ＬＥＤ７から出た光は、光入射面６ａから導光体６の内部へ導入され、その導光体６の第１光出射面６ｂから面状の光として出射して第１液晶パネル３へ供給される。また、導光体６の内部へ導入された光は、その導光体６の第２光出射面６ｃから面状の光として出射して第２液晶パネル４へ供給される。なお、光源は、ＬＥＤ７以外の点状光源や、冷陰極管等といった線状光源によって構成することもできる。
【００３１】
第１光学シート束１１は導光体６の第１光出射面６ｂ上に設けられる。この第１光学シート束１１は、導光体６側から順に、１つの光拡散シート１３、２枚のプリズムシート１４、他の１つの光拡散シート１３によって形成される。また、第２光学シート束１２は導光体６の第２光出射面６ｃ上に設けられる。この第２光学シート束１２は、導光体６側から順に、半透過反射シート１６、光拡散シート１３、２枚のプリズムシート１４によって形成される。なお、必要に応じてこれらの光学シート以外の必要な光学シートを用いることもできる。
【００３２】
上記の半透過反射シート１６は、一部の光を反射し、他の一部の光を透過させるという特性を有する光学要素である。この半透過反射シート１６を用いるのは、ＬＥＤ７からの光を第１液晶パネル３及び第２液晶パネル４の両方へ分けて供給するためである。
【００３３】
また、プリズムシート１４は入射光を特定の方向へ集束させるために用いられる光学要素であり、例えば、図４に示すような多数のプリズム形状を互いに平行に配列して形成される。本実施形態では、図２に示すように、２枚のプリズムシート１４ａ，１４ｂを重ねて設けている。これらは、図４に示すように、プリズム形状の配列方向が互いに直交するように配置される。これらのプリズムシート１４ａ，１４ｂを用いるのは、第１液晶パネル３及び第２液晶パネル４のそれぞれの方向へ向かう光を集束して強度を高めるためである。
【００３４】
図３において、第１光学シート束１１と第１液晶パネル３との間には粘着シート１５が設けられる。この粘着シート１５は、図２に示すように、第１液晶パネル３の表示領域Ｖ１と略同じ大きさの開口を有した枠状に形成されている。また、この粘着シート１５は遮光性の材料によって形成され、照明装置５からの光が第１電気光学パネル３の表示領域Ｖ１以外へ漏れることを防止している。フレーム２と第１液晶パネル３とは、この粘着シート１５によって粘着される。ここで粘着とは、人手によって容易に剥がすことができる程度の接着の意味である。こうして照明装置５と第１液晶パネル３とは、図３に示すように、フレーム２の内側に収容される。
【００３５】
図２に示すように、第２光学シート束１２とフレーム２との間には遮光シート１７が設けられる。この遮光シート１７は、第２液晶パネル４の表示領域Ｖ２と略同じ大きさの開口を有した枠状に形成されている。この遮光シート１７は、照明装置５からの光が第２電気光学パネル４の表示領域Ｖ２以外へ漏れることを防止している。
【００３６】
第１液晶パネル３は、第１の透光性の基板２１と、第２の透光性の基板２２と、第１透光性基板２１の外側表面に貼着された偏光板２３ａと、第２透光性基板２２の外側表面に貼着された偏光板２３ｂとを有する。偏光板２３ａの偏光軸と偏光板２３ｂの偏光軸は適宜にずらせた状態に設定されている。なお、偏光板２３ａ，２３ｂに加えて他の光学要素、例えば位相差板等を設けても良い。
【００３７】
図３に示すように、第１透光性基板２１は、第２透光性基板２２の一方の外側へ張り出す第１張出し部２４を有する。そしてさらに、第１透光性基板２１は、第２透光性基板２２の他方の外側へ張り出す第２張出し部２５を有する。第１張出し部２４上には駆動用ＩＣ２６がＡＣＦ（Anisotropic Conductive Film）２９を用いてＣＯＧ（Chip On Glass）技術によって実装されている。
【００３８】
図２に戻って、第２液晶パネル４は、第１の透光性の基板３１と、第２の透光性の基板３２と、第１透光性基板３１の外側表面に貼着された偏光板３３ａと、第２透光性基板３２の外側表面に貼着された偏光板３３ｂとを有する。偏光板３３ａの偏光軸と偏光板３３ｂの偏光軸は適宜にずらせた状態に設定されている。なお、偏光板３３ａ，３３ｂに加えて他の光学要素、例えば位相差板等を設けても良い。第１透光性基板３１は、第２透光性基板３２の外側へ張り出す張出し部３４を有する。
【００３９】
詳しい図示は省略するが、第１透光性基板２１，３１及び第２透光性基板２２，３２のそれぞれの表面には電極が設けられ、また、それらの基板間に液晶が封入される。照明装置５から第１液晶パネル３および第２液晶パネル４へ面状の光が供給されるとき、上記一対の電極に印加する電圧を画素ごとに制御することにより、液晶を通過する光を画素ごとに変調する。
【００４０】
そして、第１液晶パネル３においては、変調光を偏光板２３ｂに通すことにより、その偏光板２３ｂの光出射側に文字、数字、図形等といった像を表示する。矢印Ａで示す方向が第１液晶パネル３の表示を観察する方向であり、偏光板２３ｂが設けられた面が表示面Ｃである。他方、第２液晶パネル４においては、上記の変調光を偏光板３３ｂに通すことにより、その偏光板３３ｂの光出射側に文字、数字、図形等といった像を表示する。矢印Ｂで示す方向が第２液晶パネルの表示を観察する方向であり、偏光板３３ｂが設けられた面が表示面Ｅである。
【００４１】
第１液晶パネル３および第２液晶パネル４には同じ表示モードの液晶パネルを用いることができる。そしてこれらは、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、反射型、透過型又は半透過反射型のいずれであっても良い。
【００４２】
反射型とは、太陽光、室内光等といった外部光を第１液晶パネル３および第２液晶パネル４の内部で反射させて表示に用いる方式である。また、透過型とは、第１液晶パネル３および第２液晶パネル４を透過する光を用いて表示を行う方式である。また、半透過反射型とは、反射型表示と透過型表示の両方を選択的に行うことができる方式である。なお、本実施形態では照明装置５がバックライトとして設けられているので、採光方式としては透過型又は半透過反射型が採用されていることになる。
【００４３】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００４４】
上記のような第１液晶パネル３および第２液晶パネル４において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００４５】
第１液晶パネル３および第２液晶パネル４として、ＴＦＤ素子を用いたアクティブマトリクス方式の液晶パネルを用いるものとすれば、その電気的な等価回路は図５に示す通りである。図５において、複数本の走査線４１が行方向Ｘに延びるように形成され、さらに、複数本のデータ線４２が列方向Ｙに延びるように形成されている。走査線４１は、図３の第１透光性基板２１，３１又は第２透光性基板２２，３２のうちのＴＦＤ素子が設けられない方の基板上に帯状電極として形成される。また、図５のデータ線４２は、図３の第１透光性基板２１，３１又は第２透光性基板２２、３２のうちのＴＦＤ素子が設けられる方の基板上にライン配線として形成される。
【００４６】
図５において、表示の最小単位である表示ドットＤは走査線４１とデータ線４２との各交差部分に形成される。各表示ドットＤにおいては、液晶層４３と、ＴＦＤ素子４４とが直列に接続されている。各表示ドットＤに青色（Ｂ）、緑色（Ｇ）、赤色（Ｒ）の各色フィルタのうちの１色を対応させてカラー表示を行う場合には、３色の表示ドットＤが集まって１つの画素が形成される。一方、白黒等によってモノカラー表示を行う場合には表示ドットＤの１つが１つの画素を形成する。
【００４７】
図５では、液晶層４３が走査線４１の側に接続され、ＴＦＤ素子４４がデータ線４２の側に接続されているが、接続関係をその逆にしても良い。各走査線４１は、走査線駆動回路２７によって駆動される。一方、各データ線４２は、データ線駆動回路２８によって駆動される。走査線駆動回路２７及びデータ線駆動回路２８は図３の駆動用ＩＣ２６よって構成される。駆動用ＩＣ２６は、共通のＩＣによって図５の両駆動回路２７及び２８を賄うものであっても良いし、あるいは、両駆動回路２７及び２８を個別のＩＣに割り当てても良い。
【００４８】
他方、第１液晶パネル３および第２液晶パネル４として、ＴＦＴ素子を用いたアクティブマトリクス方式の液晶パネルを用いるものとすれば、その電気的な等価回路は図６に示す通りである。図６において、複数本の走査線４１が行方向Ｘに延びるように形成されている。また、複数本のデータ線４２が列方向Ｙに延びるように形成されている。走査線４１は、図３の第１透光性基板２１，３１又は第２透光性基板２２，３２の一方に形成されたＴＦＴ素子のゲート電極につながる線として形成され、図６のデータ線４２はＴＦＴ素子のソース電極につながる線として形成される。図３の第１透光性基板２１，３１又は第２透光性基板２２，３２のうちのＴＦＴ素子が形成されない方の基板上には面状の共通電極が形成される。
【００４９】
図６において、表示ドットＤは走査線４１とデータ線４２との各交差部分に形成される。各表示ドットＤにおいては、ＴＦＴ素子４５と画素電極４６とが直列に接続されている。各走査線４１は、走査線駆動回路２７によって駆動される。一方、各データ線４２は、データ線駆動回路２８によって駆動される。走査線駆動回路２７及びデータ線駆動回路２８は図３の駆動用ＩＣ２６によって構成される。
【００５０】
走査信号は図６のＴＦＴ素子４５のゲートへ送られ、データ信号はＴＦＴ素子４５のソースへ送られる。ＴＦＴ素子４５がＯＮ状態になると、対応する画素電極４６への通電が成されて対応する表示ドットＤ内の液晶への書き込みが行われる。また、引き続いてＴＦＴ素子４５がＯＦＦ状態になると、書き込まれた状態が保持される。この一連の書き込み動作及び保持動作により、液晶分子がＴＮ構造と垂直配向との間で制御される。
【００５１】
図２に戻って、第１透光性基板２１の第１張出し部２４の辺端には、可撓性を備えた第２配線基板としての第２ＦＰＣ１８が接続されている。第２ＦＰＣ１８は、液晶表示装置１を組み立てる際、矢印Ｆで示すようにフレーム２の一辺を巻き込むように曲げられて第１液晶パネル３の表示面Ｃの反対側に配置される。
【００５２】
第２ＦＰＣ１８には入力用端子１８ａが形成され、この入力用端子１８ａに外部の入力用機器（例えば、携帯電話機等といった電子機器の制御回路）や外部電源等が接続される。そして、第１液晶パネル３および第２液晶パネル４を駆動するための信号や電力が、ＦＰＣ１８を通して入力用機器や外部電源から供給される。
【００５３】
第２ＦＰＣ１８は、例えば、ポリイミドやポリエステル等から成るフィルムを基材として形成される曲げ性に優れた基板である。この第２ＦＰＣ１８は、図２の矢印Ｆのように曲げられたときにフレーム２に対面する表面Ｓ１とその反対面である表面Ｓ２とを有する。表面Ｓ２は曲げられて延びる面である。一方、表面Ｓ１は曲げられて縮む面である。表面Ｓ１上には、第１液晶パネル３および第２液晶パネル４を駆動するために必要となる複数の電子部品３５ａが実装されている。この電子部品３５ａとしては、例えば、抵抗、コイル、コンデンサ、電源ＩＣ等が考えられる。また、同様に、表面Ｓ２上にも複数の電子部品３５ｂを設けることができる。
【００５４】
第１透光性基板２１の第２張出し部２５の辺端には、同じく可撓性を備えた配線基板としての第１ＦＰＣ１９が接続されている。この第１ＦＰＣ１９は、図３のように曲げられたときにフレーム２に対向する表面Ｓ３とその反対面である表面Ｓ４とを有する。表面Ｓ４は曲げられて延びる面である。一方、表面Ｓ３は曲げられて縮む面である。表面Ｓ３上には複数の配線が形成され、その配線を通して第１液晶パネル３と第２液晶パネル４とを電気的に接続している。第１ＦＰＣ１９は、液晶表示装置１を組み立てる際、フレーム２の他の一辺を巻き込むように曲げられる。そして、第１ＦＰＣ１９は第２液晶パネル４の張出し部３４の辺端に接続される。こうして、第１液晶パネル３と第２液晶パネル４とは第１ＦＰＣ１９を通して電気的に接続される。
【００５５】
第２ＦＰＣ１８と第１液晶パネル３との接続はＡＣＦ２９を用いて行われる。また、第１ＦＰＣ１９と第１液晶パネル３との接続もＡＣＦ２９を用いて行われる。また、第１ＦＰＣ１９と第２液晶パネル４との接続もＡＣＦ２９を用いて行われる。本実施形態では、第１液晶パネル３と第２ＦＰＣ１８、第１液晶パネル３と第１ＦＰＣ１９および第２液晶パネル４と第１ＦＰＣ１９との接続にＡＣＦ２９を用いているが、これらの接続にはＡＣＦ２９の他にヒートシール、その他適宜の導電接続手法を用いることもできる。
【００５６】
第１ＦＰＣ１９によって接続した第１液晶パネル３と第２液晶パネル４とを展開すると、図７に示す平面構造となる。なお、図７は、第１液晶パネル３の表示面Ｃ側および第２液晶パネル４の表示面Ｅ側から見た場合であって、第２透光性基板２２，３２の図示を省略した状態を示している。また、図７は、主に配線の構造を示しており、それ以外の要素は図示を省略している。
【００５７】
図７において、３個の駆動用ＩＣ２６のうち両端に設けた駆動用ＩＣ２６は、図５および図６に示す走査線駆動回路２７として機能する。また、中央の駆動用ＩＣ２６は図５および図６に示すデータ線駆動回路２８として機能する。
【００５８】
複数のデータ線４２は、第１透光性基板２１，３１上に全体としてストライプ状に設けられている。これらのデータ線４２は、駆動用ＩＣ２８の出力用端子、例えば出力用バンプから出て表示領域Ｖ１を横切り、さらに、第１ＦＰＣ１９を通って第２液晶パネル４の表示領域Ｖ２を横切るように延びる連続した配線である。
【００５９】
複数の走査線４１は、第２透光性基板２２，３２上に全体としてストライプ状に設けられる。これらの走査線４１は、第１透光性基板２１，３１と第２透光性基板２２，３２とを貼り合せたとき、データ線４２と直角の方向に延びている。第１液晶パネル３に形成された走査線４１は、表示領域Ｖ１の外側に形成された配線４７ａに接続されている。そして走査線４１は、この配線４７ａを介して駆動用ＩＣ２７ａの出力端子、例えば出力バンプに接続される。また、第２液晶パネル４に形成された走査線４１は、表示領域Ｖ１の外側から第１ＦＰＣ１９を通って第２液晶パネル４の表示領域Ｖ２の外側にわたって形成された配線４７ｂに接続されている。そして走査線４１は、この配線４７ｂを介して駆動用ＩＣ２７ｂの出力端子に接続される。
【００６０】
駆動用ＩＣ２８から出力されたデータ信号は、データ線４２によって駆動用ＩＣ２８から第１液晶パネル３に供給される。このデータ信号は、同じデータ線４２によって駆動用ＩＣ２８から第２液晶パネル４に供給される。駆動用ＩＣ２７ａから出力された走査信号は、配線４７ａを通して第１液晶パネル３の走査線４１へ供給される。また、駆動用ＩＣ２７ｂから出力された走査信号は、配線４７ｂを通して第２液晶パネル４の走査線４１へ供給される。このようにして、第１液晶パネル３および第２液晶パネル４には、それぞれにデータ信号および走査信号が供給され、これらのデータ信号および走査信号に基づいて表示が行われる。
【００６１】
図２において、フレーム２は、第１収容部５１と、突出部である第２収容部５２と、空間５５とを有する。第１収容部５１は、図３において矢印Ａが描かれた側であるフレーム２の第１面２ａ側に設けられる。この第１収容部５１は、フレーム２の内側に形成された空間であり、この空間内に第１液晶パネル３および照明装置５が収容される。また、第２収容部５２は、矢印Ｂが描かれた側である第２面２ｂ側に設けられる。この第２収容部５２は、フレーム２の第２面２ｂから突出した部分であり、この突出部は第２液晶パネル４の総厚と同じかまたは第２液晶パネル４の総厚より高い高さを有した枠状に形成されている。この第２収容部５２の枠の内側に第２液晶パネル４が収容される。
【００６２】
図２に示すように、第２収容部５２に第２液晶パネル４を収容した状態で、第１ＦＰＣ１９が設けられる側の第２収容部５２の一辺には、切欠き５２ａが形成されている。この切欠き５２ａは、第１ＦＰＣ１９の幅と同じかそれ以上の幅に形成される。また、切欠き５２ａは、図１に示すように、第２液晶パネル４を第２収容部５２に収容した際に切欠き５２ａの底面５２ｂが第１ＦＰＣ１９の表面Ｓ３に接触しない高さに形成される。つまりこの切り欠き部は、第２液晶パネル４を第２収容部５２に収容した際、第２液晶パネル４に接続された第１ＦＰＣ１９が真直ぐに外へ延び出るようにするためのものである。
【００６３】
図３において、第１収容部５１に第１液晶パネル３を収容した状態で、第２ＦＰＣ１８の表面Ｓ１が接触または近接する側のフレーム２の辺端５３は、図８に示すように、その両角部５３ａ，５３ａが鋭角または直角でない湾曲形状に形成されている。この湾曲形状としては、例えば、断面円弧状、断面楕円弧状、断面長円弧状、その他任意の曲線形状が考えられる。辺端５３の湾曲形状は、第２ＦＰＣ１８の曲げ方向Ｆに対して直角方向に延びている。その湾曲形状の長さは、同じ方向の第２ＦＰＣ１８の幅よりも長く形成されている。これにより、辺端５３は第２ＦＰＣ１８の全幅を受けることができるようになっている。辺端５３の湾曲形状は、図３の紙面垂直方向の全域で同じ断面形状を成している。しかしながら、必要がある場合には、辺端５３の断面形状を図３の紙面垂直方向で部分的に変化させても良い。
【００６４】
辺端５３は、第２ＦＰＣ１８が大きく屈曲したときにはその屈曲を矯正するように第２ＦＰＣ１８に接触する。また、辺端５３は、図２の液晶表示装置１を組み立てる際、第２ＦＰＣ１８を曲げたときにその第２ＦＰＣ１８と接触できる形状となっている。また、辺端５３は、液晶表示装置１を組み立てる際に第２ＦＰＣ１８が屈曲しないように案内する。
【００６５】
また、第２収容部５２に第２液晶パネル４を収容した状態で、第１ＦＰＣ１９の表面Ｓ３が接触または近接する側のフレーム２の辺端５４は、その両角部が鋭角または直角でない湾曲形状に形成されている。この湾曲形状としては、例えば、断面円弧状、断面楕円弧状、断面長円弧状、その他任意の曲線形状が考えられる。図２において、第１ＦＰＣ１９の曲げ方向に対して直角方向の辺端５４の湾曲形状の長さは、同じ方向の第１ＦＰＣ１９の幅よりも長く形成されている。これにより、辺端５４は第１ＦＰＣ１９の全幅を受けることができるようになっている。辺端５４の湾曲形状は、図３の紙面垂直方向の全域で同じ断面形状を成している。しかしながら、必要がある場合には、辺端５４の断面形状を図３の紙面垂直方向で部分的に変化させても良い。
【００６６】
辺端５４は、第１ＦＰＣ１９が大きく屈曲したときはその屈曲を矯正するように第１ＦＰＣ１９に接触する。また、辺端５４は、図２の液晶表示装置１を組み立てる際、第１ＦＰＣ１９を曲げたときにその第１ＦＰＣ１９と接触できる形状となっている。また、辺端５４は、液晶表示装置１を組み立てる際に第１ＦＰＣ１９が屈曲しないように案内する。
【００６７】
また、フレーム２の両側面には、第１外枠５６および第２外枠５７を固定するための突片５８が複数個、本実施形態では４個設けられている。フレーム２は、例えば、プラスチック等の樹脂材料を用いて形成できる。
【００６８】
第１外枠５６は、第１液晶パネル３の表示面Ｃ側、すなわち、図２の矢印Ａが描かれた側に設けられている。この第１外枠５６には、第１液晶パネル３の表示面Ｃを外部へ露出させるための開口５６ａが設けられている。また、第１外枠５６の両側の側面には、複数個、本実施形態では４個の嵌合穴５６ｂが設けられる。これらの嵌合穴５６ｂは、液晶表示装置１を組み立てる際、フレーム２に設けられた突片５８にそれぞれ嵌合する。これにより、第１外枠５６はフレーム２に固定される。この第１外枠５６は、例えば、ステンレス等といった金属を用いて形成される。また、第１外枠５６は樹脂等といった金属以外の材料を用いて形成することもできる。
【００６９】
第２外枠５７は、第２液晶パネル４の表示面Ｅ側、すなわち、図２の矢印Ｂが描かれた側に設けられている。この第２外枠５７には、図３に示すように、フレーム２の第２面２ｂ側に突出した第２収容部５２を外部に露出させるための開口５７ａが設けられている。この開口５７ａから第２収容部５２が露出することにより、第２液晶パネル４の表示面Ｅを外部へ露出している。また、図２おいて、第２外枠５７の両側の側面には、複数個、本実施形態では４個の嵌合穴５７ｂが設けられる。これらの嵌合穴５７ｂは、液晶表示装置１を組み立てる際、フレーム２に設けられた突片５８にそれぞれ嵌合する。これにより、第２外枠はフレーム２に固定される。
【００７０】
また、第２外枠５７には、第２ＦＰＣ１８の表面Ｓ２上に電子部品３５ｂを設けた場合に、それらの電子部品３５ｂが干渉しないための開口５７ｃと、第２ＦＰＣ１８の入力用端子１８ａを外部に露出するためのスリット状の開口５７ｄとが設けられている。この第２外枠５７は、例えば、ステンレス等といった金属を用いて形成される。また、第２外枠５７は樹脂等といった金属以外の材料を用いて形成することもできる。
【００７１】
図２の液晶表示装置１を組み立てる際には、照明装置５、第１液晶パネル３および第２液晶パネル４を、図３に示すようにフレーム２に装着する。その装着にあたっては、図２において、遮光シート１７と照明装置５を第１収容部５１に収容した上で、粘着シート１５によって照明装置５とフレーム２に第１液晶パネル３を粘着する。このとき、第１液晶パネル３と照明装置５とは、第１収容部５１によって図３の紙面左右方向および紙面垂直方向の位置を規制され、これにより、常にフレーム２内の一定位置に位置決めされる。
【００７２】
次に、図２において、照明装置５と第１液晶パネル３とがフレーム２に装着された後、第１外枠５６が矢印Ａ方向からフレーム２の側面へ嵌め込まれ、第１外枠５６の開口５６ｂとフレーム２の突片５８とが嵌合する。
【００７３】
次に、第２ＦＰＣ１８が矢印Ｆで示すようにフレーム２の辺端５３を巻き込むように曲げられる。このとき、第２ＦＰＣ１８は、図８のように辺端５３の角部５３ａ，５３ａの湾曲形状に沿って滑らかに曲げられる。そして、曲げられた第２ＦＰＣ１８は、第１液晶パネル３の表示面Ｃ（図３参照）の反対側、すなわちフレーム２の第２面２ｂの表面上に運ばれる。このとき、第２ＦＰＣ１８の表面Ｓ１上に設けられた複数の電子部品３５ａが空間５５の内部に収容される。
【００７４】
また、図１のように第１ＦＰＣ１９がフレーム２の辺端５４を巻き込むように曲げられて、第２液晶パネル４がフレーム２の第２面２ｂの表面上に運ばれる。このとき、第１ＦＰＣ１９は、辺端５４の角部５４ａ，５４ａの湾曲形状に沿って滑らかに曲げられる。そして、図２の第２液晶パネル４を第２収容部５２の内部に収容する。このとき、第２液晶パネル４は、第２収容部５２によって図３の紙面左右方向および紙面垂直方向の位置を規制され、これにより、常にフレーム２内の一定位置に位置決めされる。
【００７５】
次に、図２において、第２外枠５７が矢印Ｂ方向から第１外枠５６の側面の外側へ嵌め込まれ、第２外枠５７の開口５７ｂとフレーム２の突片５８とが嵌合する。このとき、第１ＦＰＣ１９は、第２外枠５７によってフレーム２の第２面２ｂ上の所定幅の直線状の領域Ｔ０に押し付けられる。この領域Ｔ０は、図１の紙面左右方向に一定の幅Ｔを有し、図１の紙面垂直方向に直線状に延びる領域である。このように、第１ＦＰＣ１９がフレーム２の領域Ｔ０に第２外枠５７によって押し付けられる、または近接することにより、第１ＦＰＣ１９が固定される。
【００７６】
なお、近接とは、フレーム２、第１ＦＰＣ１９、および第２外枠５７がわずかな隙間をもって互いに対向している状態である。このとき、これら３つの要素は部分的には互いに接触しているかもしれない。
【００７７】
以上に説明したように、本実施形態における液晶表示装置１は、図１において、第２外枠５７を用いてフレーム２の第２面２ｂ側にある第１ＦＰＣ１９を抑えるようにしたので、第１ＦＰＣ１９の弾性による反発力に起因して第１ＦＰＣ１９が動くことを規制できる。従って、フレーム２の第２収容部５２内に収容された第２液晶パネル４が第１ＦＰＣ１９が動くことによって浮いてしまうこと、を防止できる。
【００７８】
また、本実施形態では、第２外枠５７を用いて第１ＦＰＣ１９の動きを規制するようにしたので、第１ＦＰＣ１９は両面テープ等といった粘着部材を使わずに固定できる。従って、第１ＦＰＣ１９は粘着部材を剥がすことなくフレーム２から容易に外すことができるので、液晶表示装置１を容易に分解できる。これにより、図２の液晶表示装置１に関しては、例えば、組み立ての際に不良等が生じた場合において、その液晶表示装置１の分解作業および再度の組み立て作業を容易に行うことができる。
【００７９】
また、本実施形態では、図３において、フレーム２の第２面２ｂ側に第２外枠５７を設け、この第２外枠５７で第１ＦＰＣ１９を覆う構造とした。これにより、第１ＦＰＣ１９は外部に露出しなくなるので、第２外枠５７を設けない構造の液晶表示装置に比べて、第１ＦＰＣ１９の耐衝撃性を高くできる。
【００８０】
また、本実施形態では、図１に示すように、第２外枠５７はフレーム２の第２面２ｂで、第１ＦＰＣ１９を一定幅Ｔの直線状領域Ｔ０でフレーム２に押し付ける、または近接するようにした。こうすれば、第１ＦＰＣ１９を確実に固定することができるので、第２液晶パネル４がフレーム２から浮いてしまうことを確実に防止できる。
【００８１】
また、本実施形態では、図２において、第１液晶パネル３に関して第１ＦＰＣ１９の反対側に第２ＦＰＣ１８を接続し、その第２ＦＰＣ１８を矢印Ｆの方向に、すなわちフレーム２の第２面２ｂへ向けて曲げるようにした。そして、この第２ＦＰＣ１８は第２外枠５７によって抑えるようにした。これにより、第２ＦＰＣ１８の弾性によって第２ＦＰＣ１８が動くことを規制できるので、第２ＦＰＣ１８は両面テープ等といった粘着部材を使わずに固定できる。従って、第２ＦＰＣ１８は粘着部材を剥がすことなくフレーム２から容易に外すことができるので、液晶表示装置１を容易に分解できる。これにより、液晶表示装置１に関しては、例えば、組み立てに不良等が生じた場合において、その液晶表示装置１の分解作業および再度の組み立て作業を容易に行うことができる。
【００８２】
また、本実施形態では、図３において、フレーム２は第２液晶パネル４を係止するための突出部である第２収容部５２を有し、第２外枠５７は第２収容部５２の周囲に設けた。こうすれば、第２外枠５７は第２収容部５２以外の部分のフレーム２の厚さに合わせて形成できる。従って、この第２外枠５７を用いて形成する液晶表示装置１は、第２収容部５２以外の部分において厚さを薄く形成できる。
【００８３】
また、図８において、第２ＦＰＣ１８を曲げた際、一般的には、第２ＦＰＣ１８の曲げ部、または第１液晶パネル３と第２ＦＰＣ１８の接続部において、第２ＦＰＣ１８が急激に屈曲することがある。こうなると、配線が断線する等といった第２ＦＰＣ１８の損傷が発生するおそれがある。また、第１液晶パネル３と第２ＦＰＣ１８の接続部が剥がれてしまうおそれがある。
【００８４】
本実施形態では、第２ＦＰＣ１８が接触または近接するフレーム２の辺端５３の角部５３ａ，５３ａに湾曲形状を形成している。こうすれば、辺端５３の角部に形成した湾曲形状に沿って、第２ＦＰＣ１８を滑らかに曲げることができるので、第１液晶パネル３と第２ＦＰＣ１８との接続部において第２ＦＰＣ１８が急激に屈曲することがなくなる。その結果、第２ＦＰＣ１８が損傷したり、第２ＦＰＣ１８が第１液晶パネル３から剥がれることを防止できる。
【００８５】
また、図１において、第１ＦＰＣ１９を曲げた際、第１ＦＰＣ１９の曲げ部、または第１液晶パネル４と第１ＦＰＣ１９の接続部において、第１ＦＰＣ１９が急激に屈曲することがある。こうなると、配線が断線する等といった第１ＦＰＣ１９の損傷が発生するおそれがある。また、第１液晶パネル３と第１ＦＰＣ１９の接続部が剥がれてしまうおそれがある。
【００８６】
本実施形態では、第１ＦＰＣ１９が接触または近接するフレーム２の辺端５４の角部５４ａ，５４ａに湾曲形状を形成している。こうすれば、辺端５４の角部に形成した湾曲形状に沿って、第１ＦＰＣ１９を滑らかに曲げることができるので、第１液晶パネル３と第１ＦＰＣ１９との接続部において第１ＦＰＣ１９が急激に屈曲することがなくなる。その結果、第１ＦＰＣ１９が損傷したり、第１ＦＰＣ１９が第１液晶パネル３から剥がれることを防止できる。
【００８７】
また、本実施形態では、図２において、フレーム２の両側面に突片５８を設け、さらに第２外枠５７の両側面には、フレーム２の突片５８に対応する位置に開口５７ｂを設けた。そして、液晶表示装置１に第２外枠５７を組み付ける際に、開口５７ｂを突片５８に嵌合するようにした。こうすれば、第２外枠５７をフレーム２に確実に固定できるので、第１ＦＰＣ１９および第２ＦＰＣ１８を確実に固定できる。また、液晶表示装置１に衝撃が加わった際、フレーム２から第２外枠５７が外れることを防止できる。
【００８８】
また、本実施形態では、図２において、第１外枠５６の両側面であってフレーム２の突片５８に対応する位置に開口５６ｂを設けた。そして、液晶表示装置１に第１外枠５６を組み付ける際に、開口５６ｂを突片５８に嵌合するようにした。こうすれば、液晶表示装置１に衝撃が加わった際、フレーム２から第１外枠５６が外れることを防止できる。
【００８９】
また、本実施形態では、第１外枠５６および第２外枠５７は、例えば、ステンレス等といった金属を用いて形成した。こうすれば、例えば、第１外枠５６および第２外枠５７を樹脂等といった他の材料で形成する場合に比べて、第１ＦＰＣ１９および第２ＦＰＣ１８の耐衝撃性をさらに高くできる。
【００９０】
（変形例）
上記の実施形態では、電気光学装置としての液晶表示装置に本発明を適用した場合を例示した。しかしながら、本発明は、液晶表示装置以外の電気光学装置、例えば、有機ＥＬ装置、無機ＥＬ装置、プラズマディスプレイ装置（ＰＤＰ：Plasma Display）、電気泳動ディスプレイ（ＥＰＤ：Electrophoretic Display）、フィールドエミッションディスプレイ装置（ＦＥＤ：Field Emission Display：電界放出表示装置）にも適用できる。
【００９１】
（電子機器の実施形態）
以下、本発明に係る電子機器を実施形態を挙げて説明する。なお、この実施形態は本発明の一例を示すものであり、本発明はこの実施形態に限定されるものではない。
【００９２】
図９は、本発明に係る電子機器の一実施形態をブロック図で示している。また、図１０は、図９のブロック図で示す電子機器の一例である折り畳み式携帯電話機を示している。図９に示す電子機器は、液晶表示装置７１と、これを制御する制御回路７０とを有する。制御回路７０は、表示情報出力源７８、表示情報処理回路７５、電源回路７６及びタイミングジェネレータ７７を有する。そして、液晶表示装置７１は第１液晶パネル７２ａ、第２液晶パネル７２ｂ及び駆動回路７３を有する。
【００９３】
表示情報出力源７８は、ＲＯＭ(Read Only Memory)やＲＡＭ(Random Access Memory)等といったメモリや、各種ディスク等といったストレージユニットや、ディジタル画像信号を同調出力する同調回路等を備え、タイミングジェネレータ７７により生成される各種のクロック信号に基づいて、所定フォーマットの画像信号等といった表示情報を表示情報処理回路７５に供給する。
【００９４】
次に、表示情報処理回路７５は、増幅・反転回路や、ローテーション回路や、ガンマ補正回路や、クランプ回路等といった周知の各種回路を備え、入力した表示情報の処理を実行して、画像信号をクロック信号ＣＬＫと共に駆動回路７３へ供給する。ここで、駆動回路７３は、走査線駆動回路やデータ線駆動回路と共に、検査回路等を総称したものである。また、電源回路７６は、上記の各構成要素に所定の電源電圧を供給する。
【００９５】
図９のブロック図に示した電子機器は、例えば、図１０（ａ）および図１０（ｂ）に示した折り畳み式の携帯電話機８０として構成される。この携帯電話機８０では、第１液晶パネル７２ａおよび第２液晶パネル７２ｂを備えた表示体８３がヒンジ部８５を介して操作本体８４に開閉可能に連結されている。第１液晶パネル７２ａは、表示体８３を開いたときに表示を行うメイン表示部８６として、表示体８３の内側に設けられる。一方、第２液晶パネル７２ｂは、表示体８３を操作本体８４に折り重ねたときに表示を行うサブ表示部８７として、表示体８３の外側に設けられる。
【００９６】
ここで、メイン表示部８６およびサブ表示部８７のいずれで表示を行うかは、携帯電話機８０の折り畳み操作で切替えられる。このため、図９に示すように、この電子機器には、携帯電話機８０の折り畳み操作を検出する開閉検出回路７４が含まれる。この開閉検出回路７４はその検出結果を液晶表示装置７１に出力するようになっている。
【００９７】
図９の液晶表示装置７１は、例えば、図２に示した液晶表示装置１を用いて構成できる。液晶表示装置１においては、外枠５７を用いることにより、粘着部材を使わずにＦＰＣ１９をフレーム２に固定できるので、液晶表示装置１の分解作業および再度の組み立て作業を容易に行うことができる。この結果、この液晶表示装置１を用いた図１０の携帯電話機８０においても分解作業および再度の組み立て作業が容易になり、電子機器の再生利用等が行い易くなる。
【００９８】
また、液晶表示装置１においては、ＦＰＣ１９が外枠５７によって囲われるので、外枠５７を設けない構造の液晶表示装置に比べてＦＰＣ１９の耐衝撃性を高くできる。この結果、この液晶表示装置１を図１０の携帯電話機８０に用いれば、耐衝撃性が高い携帯電話機８０を形成できる。
【００９９】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【０１００】
【図１】本発明に係る電気光学装置の一実施形態である液晶表示装置の主要部を示す断面図である。
【図２】図１に示す液晶表示装置の全体を分解状態で示す斜視図である。
【図３】図２に示す液晶表示装置の断面構造を示す断面図である。
【図４】光学シートの一例を示す斜視図である。
【図５】図２の液晶表示装置の電気的な等価回路の一例を示す回路図である。
【図６】図２の液晶表示装置の電気的な等価回路の他の一例を示す回路図である。
【図７】図３の液晶表示装置の主要部を展開状態で示す平面図である。
【図８】図３の液晶表示装置の主要部を拡大して示す断面図である。
【図９】本発明に係る電子機器の一実施形態を示すブロック図である。
【図１０】図９に示す電子機器の外観を示す図であって、（ａ）は電子機器が閉じた状態、（ｂ）は電子機器が開いた状態を示している。
【符号の説明】
【０１０１】
１．液晶表示装置（電気光学装置）、  ２．フレーム、  ２ａ．第１面、  
２ｂ．第２面、  ３．第１液晶パネル（第１電気光学パネル）、  
４．第２液晶パネル（第２電気光学パネル）、  ５．照明装置、  ６．導光体、  
７．ＬＥＤ、  ８．ＬＥＤ基板、  １１．第１光学シート束、  
１２．第２光学シート束、  １３．光拡散シート、  １４．プリズムシート、  
１５．粘着シート、  １６．半透過反射シート、  １７．遮光シート、
１８．第２ＦＰＣ（配線基板）、  １９．第１ＦＰＣ（配線基板）、  
２１，３１．第１透光性基板、  ２２、３２．第２透光性基板、  
２３ａ，２３ｂ，３３ａ，３３ｂ．偏光板、  ２４．第１張出し部、  
２５．第２張出し部、  ２６．駆動用ＩＣ、  ２９．ＡＣＦ、  ３４．張出し部、  
４１．走査線、  ４２．データ線、  ４３．液晶層、  ４４．ＴＦＤ素子、  
４５．ＴＦＴ素子、  ４６．画素電極、  ４７ａ，４７ｂ．配線、  ５１．第１収容部、
５２．第２収容部（突出部）、  ５２ａ．切欠き、  ５２ｂ．切欠きの底面、  
５３，５４．フレームの辺端、  ５５．空間、  ５６．第１外枠、  ５７．第２外枠、
７０．制御回路、  ７１．液晶表示装置（電気光学装置）、  
７２ａ．第１液晶パネル（第１電気光学パネル）、  
７２ｂ．第２液晶パネル（第２電気光学パネル）、  ７３．駆動回路、
８０．携帯電話機（電子機器）、  ８３．表示体部、  ８４．操作体部、
８６．メイン表示部、  ８７．サブ表示部、  Ｄ．表示ドット領域、  
Ｓ１，Ｓ３．表側面、  Ｓ２，Ｓ４．裏側面、  Ｔ０．領域、  Ｔ．幅
【図１】
2006184383.tif 000003
【図２】
2006184383.tif 000004
【図３】
2006184383.tif 000005
【図４】
2006184383.tif 000006
【図５】
2006184383.tif 000007
【図６】
2006184383.tif 000008
【図７】
2006184383.tif 000009
【図８】
2006184383.tif 000010
【図９】
2006184383.tif 000011
【図１０】
2006184383.tif 000012